(57)【要約】      （修正有）【課題】スタンドとして利用可能なパッケージ台紙を提供する。【解決手段】フレグランスペーパー９を差し込めるように台紙に切り込みを設け、折り曲げ及び切り離しが可能な台紙とする。必要に応じ、半切り抜き部分を設ける。また、台紙は、ヘッダー部２と本体部とから成り、これら両部は切り離しが可能であり、切り離された両部の何れか一方又は両方がフレグランスペーパーのスタンドとして使用が可能となる。【選択図】図５
0003194288.tif 000002
【実用新案登録請求の範囲】
【請求項１】
フレグランスペーパーのパッケージ台紙であって、
前記台紙にフレグランスペーパーを差し込める差し込み部を設け、
前記台紙を曲げることでフレグランスペーパーのスタンドとして使用が可能となることを特徴とするパッケージ台紙。
【請求項２】
前記台紙は、ヘッダー部と本体部とから成り、
これら両部は切り離しが可能であり、
切り離された両部の何れか一方又は両方がフレグランスペーパーのスタンドとして使用が可能となることを特徴とする請求項１に記載のパッケージ台紙。
【請求項３】
前記本体部は、切り抜き線により半切り抜き片を構成し、
前記半切り抜き片を反らせて挟むクリップ構造であることを特徴とする請求項１乃至請求項２のいずれかに記載のパッケージ台紙。
【請求項４】
前記本体部は、切り抜き線により半切り抜き片を２か所構成し、
前記半切り抜き片を相互反対方向に反らせて挟むクリップ構造であることを特徴とする請求項１乃至請求項２のいずれかに記載のパッケージ台紙。
【考案の詳細な説明】
【技術分野】
【０００１】
本考案は、フレグランスペーパーのパッケージ台紙に関するものである。
【背景技術】
【０００２】
従来、紙素材にフレグランス成分を染み込ませ、使用時にそのフレグランス成分を揮散させて楽しむ商品がエアーフレッシュナー又はフレグランスペーパー等として知られ、これらの商品は、使用前はＯＰＰパッケージに密封収容され、台紙に固定されて販売されている。
【０００３】
そして、この台紙には、商品説明や商品名、販売者の名称等を記載し、予め台紙に開口穴を設けることで吊り下げ陳列什器のフックに掛けることが出来る。
【０００４】
しかし、商品本体を取り出した後は、台紙は他の用途はなく、ＯＰＰパッケージとともに捨てられるだけであった。
【０００５】
また、商品本体においては、壁や机の表面に接する方法で使用した場合は、フレグランス成分が接触面と反応して変色するおそれがあり、もっぱらストラップを付けることで、吊るして使用する方法に限定されたものであった。
【０００６】
そのため、フレグランスペーパーの新たな使用態様が望まれていた。
【非特許文献１】実願２００９−１９９４
【考案の開示】
【考案が解決しようとする課題】
【０００７】
そこで、このような問題を解消すべく、台紙にスタンド機能を持たせ、更にクリップ機能を持たせることで所定の場所に取り付けができるパッケージ台紙を提供する。
【課題を解決するための手段】
【０００８】
フレグランスペーパーを差し込めるように台紙の一部に差し込み部を設け、一部を折り曲げ及び切り離しが可能な台紙とする。必要に応じ、半切り抜き片を設ける。
【考案の効果】
【０００９】
本考案によれば、パッケージ台紙をスタンドとして使用できる。
【００１０】
そして、台紙のヘッダー部分又は本体部分のどちらでもスタンドとして使用できる。
【００１１】
また、クリップ機能による取り付けが可能となる。
【考案を実施するための最良の形態】
【００１２】
カード状のフレグランスペーパーを差し込めるように台紙に差し込み部を設け、折り曲げ及び切り離しが可能な台紙とする。必要に応じて半切り抜き片を設ける。
【実施例１】
【００１３】
以下、図１乃至図９を参照して本考案に係るパッケージ台紙の実施例を説明する。
まず、図２乃至図４のようにパッケージ台紙の展開図を完成させる。
【００１４】
パッケージ台紙１は、ヘッダー部２と本体部３とからなり、両部は分離できるようにその境界線上に切り取り線７を設けておく。
【００１５】
ここで、パッケージ台紙１のヘッダー部２は、図１のように折り曲げ線６で折り返し、フレグランスペーパー９を収納したＯＰＰパッケージ１０の上部を挟んでステープラ止め等する部分である。
【００１６】
このヘッダー部２には、吊り下げ陳列什器のフック等に掛けられるように図２乃至図４のように予めディスプレイ用の開口穴４を開けておく。
【００１７】
そして、ヘッダー部２と本体部３を切り離したときに、ヘッダー部２にスタンド機能を持たせる為、図２乃至図４の展開図の状態で開口部と開口部の間に差し込み部５を設けておく。
【００１８】
この差し込み部５は、フレグランスペーパー９が差し込める程度の長さの切れ目があれば良い。
【００１９】
スタンド機能としての使用方法は、図５のようにヘッダー部２を折り曲げた状態でフレグランスペーパー９を差し込み部５に差し込めば良い。
【００２０】
次に、台紙の本体部３をスタンドとして使用できるように、図２乃至図４のように台紙の本体部３の両端から一定の距離で内側に折り曲げ線６をそれぞれ設ける。
【００２１】
そして、両端と折り曲げ線６の中間付近にそれぞれカード状のフレグランスペーパーを差し込めるように差し込み部５を設ける。
【００２２】
この差し込み部５も、フレグランスペーパー９が差し込める程度の長さの切れ目があれば良い。
【００２３】
スタンド機能としての使用方法は、図６のように台紙の本体部３を折り曲げ線６に沿って折り曲げた状態で上述した２か所の差し込み部５にフレグランスペーパー９の角を差し込むことで、フレグランスペーパー９と台紙面との間に隙間を生じさせ、フレグランスペーパー９の両面から香り成分が揮散可能なスタンドを完成させることが出来る。
【００２４】
更に、台紙の本体部３のスタンド機能に加えてクリップ機能を持たせる為、図３又は図４のように台紙の本体部３に切り抜き線８を設けておく。
【００２５】
ここで、切り抜き線８とは、半切り抜き片１１を構成する為の切れ目のことであって、半切り抜き片１１は、この切れ目に沿って切り抜いたときに一部が本体部と繋がった状態で現れる片のことである。
【００２６】
図３のように２か所の切り抜き線８に沿って切り抜いた半切り抜き片１１を使用し、相対する方向から半切り抜き片が反るように切り抜き線８を設ける場合は、図７又は図８のように、棒状のものに２片の半切り抜き片１１を互いに反らせて挟み込むようにして取付けることが可能となる。
【００２７】
また、図４のように１か所の半切り抜き片１１を使用して任意の一方向から半切り抜き片が反るように切り抜き線８を設ける場合は、図９のように裏面より半切り抜き片１１を反らし、平面上のものに挟んで取付けることが可能となる。
【００２８】
なお、図示しないが、台紙の表面上には、従来通り商品説明や商品名、販売者の名称等を記載しても構わないし、フレグランスペーパーの表面上にも文字、記号、図形、色彩これらの結合したものを印刷しても良い。
【００２９】
実施例ではフレグランスペーパーの形状は長方形であるが、円形、多角形、具象形等であっても良い。
【００３０】
このように、好ましい実施例を挙げて本考案を説明したが、本考案はその実施例に限定さ
れるものではなく、本考案の要旨の範囲内で種々に組み合わせや改変できる。
【図面の簡単な説明】
【００３１】
【図１】ＯＰＰパッケージに本考案に係るパッケージ台紙とフレグランスペーパーを収納した販売時の状態の図である。
【図２】本考案に係るパッケージ台紙の展開図の一例を示す図である。
【図３】本考案に係るパッケージ台紙の展開図の一例を示す図である。
【図４】本考案に係るパッケージ台紙の展開図の一例を示す図である。
【図５】本考案に係るパッケージ台紙の内、ヘッダー部にスタンド機能を持たせた実施例である。
【図６】本考案に係るパッケージ台紙の内、本体部にスタンド機能を持たせた実施例である。
【図７】本考案に係るパッケージ台紙の内、本体部のスタンド機能に加えクリップ機能を持たせた実施例である。
【図８】本考案に係るパッケージ台紙の内、本体部のスタンド機能に加えクリップ機能を持たせた実施例を別の角度から見た図である。
【図９】本考案に係るパッケージ台紙の内、本体部のスタンド機能に加えクリップ機能を持たせた他の実施例である。
【符号の説明】
【００３２】
１  パッケージ台紙
２  ヘッダー部
３  本体部
４  開口穴
５  差し込み部
６  折り曲げ線
７  切り取り線
８  切り抜き線
９  フレグランスペーパー
１０  ＯＰＰパッケージ
１１  半切り抜き片
【図１】
0003194288.tif 000003
【図２】
0003194288.tif 000004
【図３】
0003194288.tif 000005
【図４】
0003194288.tif 000006
【図５】
0003194288.tif 000007
【図６】
0003194288.tif 000008
【図７】
0003194288.tif 000009
【図８】
0003194288.tif 000010
【図９】
0003194288.tif 000011